(57)【要約】      （修正有）【課題】利便性を向上できるパネルを提供する。【解決手段】パネル５０は、身体支持装置１０のオプション受け３６に取り付けられ弾性変形できる。例えば、介護用ベッド等として利用できるベッドであり、床面上に設置されている。符号Ｘは身体支持装置１０の長手方向に沿った第１方向Ｘを示し、符号Ｙは身体支持装置１０の幅方向に沿った第２方向Ｙを示し、符号Ｚは身体支持装置１０の高さ方向（鉛直方向）に沿った第３方向Ｚを示す。【選択図】図１
2019176959.tif 000002
【特許請求の範囲】
【請求項１】
身体支持装置のオプション受けに取り付けられ弾性変形できるパネル。
【請求項２】
間隔をあけて配置された一対の第１部分と、
前記一対の第１部分を連結し弾性変形できる第２部分と、を備える請求項１に記載のパネル。
【請求項３】
前記一対の第１部分のうちの一方に設けられ、他方に向けて突出する第１凸部を更に備える請求項２に記載のパネル。
【請求項４】
前記第１凸部は、前記一対の第１部分の両方に、突出量を異ならせて設けられている請求項３に記載のパネル。
【請求項５】
前記第２部分から突出する第２凸部を更に備えている請求項２から４のいずれか１項に記載のパネル。
【請求項６】
前記オプション受けの側面を覆い上下面を露出させる請求項１から５のいずれか１項に記載のパネル。
【請求項７】
前記オプション受けから取り外しできる請求項１から６のいずれか１項に記載のパネル。
【請求項８】
オプション受けと、
前記オプション受けに取り付けられるパネルと、を備え、
前記パネルは、請求項１から７のいずれか１項に記載のパネルである身体支持装置。
【発明の詳細な説明】
【技術分野】
【０００１】
本発明は、パネルおよび身体支持装置に関する。
【背景技術】
【０００２】
身体支持装置として、例えば特許文献１が知られている。身体支持装置は、オプション受けを備えている。オプション受けには、パネルが装着されることがある。
【先行技術文献】
【特許文献】
【０００３】
【特許文献１】特開２００９−２４０５８１号公報
【発明の概要】
【発明が解決しようとする課題】
【０００４】
本発明は、利便性を向上できるパネルを提供する。
【課題を解決するための手段】
【０００５】
本発明の一態様に係るパネルは、身体支持装置のオプション受けに取り付けられ弾性変形できる。
【発明の効果】
【０００６】
本発明によれば、利便性を向上できるパネルを提供できる。
【図面の簡単な説明】
【０００７】
【図１】本発明の一実施形態に係る身体支持装置の斜視図である。
【図２】図１に示す身体支持装置の床高を上昇させ、かつ、身体支持装置を背上げおよび脚上げさせた状態を示す斜視図である。
【図３】図１に示す身体支持装置を構成するオプション受けおよびパネルを第２方向の外側から見た斜視図である。
【図４】図３に示すオプション受けおよびパネルを第２方向の内側から見た斜視図である。
【図５】図３に示すオプション受け単独の斜視図である。
【図６】図３に示すパネル単独の斜視図である。
【図７】図６に示すパネルを第２方向の内側から見た斜視図である。
【図８】図６に示すパネルを第２方向の内側から見た背面図である。
【図９】図３に示すＩＸ−ＩＸ断面矢視図である。
【図１０】図３に示すオプション受けにパネルを取り付ける過程を説明する斜視図である。
【図１１】図１０に示す状態から第１凸部をオプション受け内に嵌め込んだ状態を示す要部の斜視図である。
【図１２】本発明の一変形例に係るパネルを第２方向の内側から見た背面図である。
【図１３】図１２に示すパネルにおける一の第１部分の上面図である。
【発明を実施するための形態】
【０００８】
本発明の一実施形態に係る身体支持装置１０を、図１から図１１に基づいて以下に説明する。
図１に示す本実施形態の身体支持装置１０は、例えば、介護用ベッド等として利用できるベッドであり、床面上に設置されている。なお、身体支持装置１０に関しては、例えば特願２０１６−００９８１６号（発明の名称：連結フレームおよびこれを備えるベッド装置、出願日：２０１６年１月２１日）の内容を援用する。この特許出願は、この援用によりその全体が組み込まれる。
【０００９】
図１を含む各図において、符号Ｘは身体支持装置１０の長手方向に沿った第１方向Ｘを示し、符号Ｙは身体支持装置１０の幅方向に沿った第２方向Ｙを示し、符号Ｚは身体支持装置１０の高さ方向（鉛直方向）に沿った第３方向Ｚを示す。
身体支持装置１０を第３方向Ｚに沿って平面視した場合に、身体支持装置１０は、第１方向Ｘよりも、第１方向Ｘに直交する第２方向Ｙに短い。第１方向Ｘは、身体支持装置１０上に横たわる被介護者の身長の方向となる。
【００１０】
図１および図２に示すように、身体支持装置１０は、被介護者を支持するボトム（Mattress support platform）１１と、ボトム１１を支持する架台１２と、架台１２の動きを制御する図示しない制御部と、を備えている。身体支持装置１０は、電力を動力源として動作する電動ベッドである。
【００１１】
＜ボトム１１＞
ボトム１１は、背ボトム（Back section）２１と、腰ボトム（Seat section）２２と、脚ボトム（Leg section）２３と、を備えている。これらの背ボトム２１、腰ボトム２２および脚ボトム２３は、第１方向Ｘに沿ってこの順に並んでいる。背ボトム２１は、被介護者の背を支える。腰ボトム２２は、被介護者の腰を支える。脚ボトム２３は、被介護者の脚を支える。
【００１２】
脚ボトム２３は、膝ボトム（Upper leg section）２４と、足ボトム（Lower leg section）２５と、を備えている。これらの膝ボトム２４および足ボトム２５は、第１方向Ｘに沿ってこの順に並んでいる。膝ボトム２４は、被介護者の膝から腰を支える。足ボトム２５は、被介護者の膝から足先を支える。
【００１３】
＜架台１２＞
図２に示すように、架台１２は、床面に設置されるベースフレーム３１と、ボトム１１を支持するメインフレーム３２と、ベースフレーム３１に対してメインフレーム３２を昇降させる昇降機構３３と、背ボトム２１を移動させる図示しない背上げ機構と、脚ボトム２３を移動させる図示しない膝上げ機構と、メインフレーム３２を第２方向Ｙに挟んで配置されたオプション受け３６と、を備えている。
【００１４】
昇降機構３３は、メインフレーム３２を昇降させることで、例えば、ボトム１１を図１に示すような下側の位置と、図２に示すような上側の位置と、の間で連続的に昇降させる。
【００１５】
背上げ機構は、ＪＩＳ  Ｔ  ９２５４：２０１５に記載された背上げ機能を、身体支持装置１０に実装させている。背上げ機構は、背ボトム２１を図２に示すように傾斜させる。図１に示すような背上げ前の状態で背上げ機構が作動すると、背ボトム２１が水平面に対して傾斜する図２に示すような背上げ状態となる。
【００１６】
膝上げ機構は、ＪＩＳ  Ｔ  ９２５４：２０１５に記載された膝上げ機能を、身体支持装置１０に実装させている。膝上げ機構は、脚ボトム２３を図２に示すように移動させる。図１に示すような膝上げ前の状態で膝上げ機構が作動すると、脚ボトム２３の全体が上方に屈曲する図２に示す膝上げ状態となる。
【００１７】
＜オプション受け３６＞
オプション受け３６は、メインフレーム３２を第２方向Ｙに挟んで一対配置されている。さらに、第２方向Ｙに対をなすオプション受け３６が、第１方向Ｘに間隔をあけて一対配置されている。
【００１８】
各オプション受け３６は、メインフレーム３２に取り付けられる。図示の例では、各オプション受け３６は、メインフレーム３２から第２方向Ｙに延びるアクセサリーフレーム３７に取り付けられる。アクセサリーフレーム３７は、１つのオプション受け３６に対して２つ設けられている。２つのアクセサリーフレーム３７は、第１方向Ｘに間隔をあけて配置されている。
【００１９】
図３から図５に示すように、オプション受け３６は、第１方向Ｘに延びる筒状に形成されている。図５に示すように、オプション受け３６を第１方向Ｘから見た正面視において、オプション受け３６は、第２方向Ｙに短く第３方向Ｚに長い矩形状をなしている。オプション受け３６は、上面３８と、下面３９と、第１側面４０と、第２側面４１と、を備えている。
【００２０】
第１側面４０は、第２方向Ｙに沿って外部側を向く。第２側面４１は、第２方向Ｙに沿ってメインフレーム３２側を向く。第２側面４１には、前記アクセサリーフレーム３７が固定される。
上面３８には、第１開口４２が設けられている。第１開口４２には、図示しないオプションが装着される。前記オプションとしては、例えば、柵（サイドレール）やＩＶポールなどが挙げられる。第１開口４２は、第１方向Ｘに間隔をあけて配置されている。
【００２１】
なお図示の例では、オプション受け３６に筒部材４３が取り付けられていて、この筒部材４３の内部が前記第１開口４２を形成している。
筒部材４３は、オプション受け３６の上面３８からオプション受け３６の内部に挿入されている。前記第１開口４２は、筒部材４３の上端の開口によって形成されている。
【００２２】
第１側面４０には、第２開口４４が設けられている。第２開口４４は、第１側面４０を第２方向Ｙに貫通している。第１側面４０を第２方向Ｙから見た正面視において、第２開口４４は、第１方向Ｘに長い矩形状に形成されている。第２開口４４は、第１方向Ｘに間隔をあけて複数設けられている。図示の例では、第２開口４４は３つ設けられている。第１方向Ｘの中央に位置する１つの第２開口４４は、他の２つの第２開口４４に比べて下方に配置されている。
【００２３】
図４に示すように、第２側面４１には、第３開口４５が設けられている。第３開口４５は、第２側面４１を第２方向Ｙに貫通している。
【００２４】
＜パネル５０＞
図３に示すように、オプション受け３６には、パネル５０が取り付けられている。パネル５０は、オプション受け３６から取り外しできる。パネル５０は、例えば、合成樹脂材料で一体に形成され、弾性変形できる（弾性変形可能である）。前記合成樹脂材料としては、耐衝撃性や耐候性、高剛性を具備し、帯電防止に優れた合成樹脂材料、具体的には、ポリプロピレン樹脂（例えば、Ｊ７０４ＵＧ（株式会社プライムポリマー製））が好ましい。
【００２５】
パネル５０は、オプション受け３６の側面（図示の例では第１側面４０）を覆い上下面３８、３９を露出させる。パネル５０は、オプション受け３６を第１側面４０の外側から覆っている。
なお以下では、第２方向Ｙに沿って、パネル５０に対して架台１２（メインフレーム３２）が位置する側を第２方向Ｙの内側といい、その反対側（架台１２に対してパネル５０が位置する側）を第２方向Ｙの外側という。言い換えると、第２方向Ｙに沿う内側とは、オプション受け３６において、第２方向Ｙに沿って第１側面４０に対して第２側面４１が位置する側であり、第２方向Ｙに沿う外側とは、第２方向Ｙに沿って、第２側面４１に対して第１側面４０が位置する側である。
【００２６】
図６から図８に示すように、第１板部５１と、第２板部５２と、第３板部５３と、第４板部５４と、第５板部５５と、を備えている。
第１板部５１は、第１側面４０を覆う。第１板部５１の表裏面は、第２方向Ｙを向いている。第１板部５１は、その正面視において、第１方向Ｘに長い矩形状に形成されている。第１板部５１は、第２方向Ｙの外側に向けて凸となるように湾曲している。第１板部５１は、第３方向Ｚの中央に向かうに従い第２方向Ｙの外側に向かっている。
【００２７】
図７に示すように、第２板部５２から第５板部５５は、いずれも第１方向Ｘに間隔をあけて一対配置されている。第２板部５２から第５板部５５は、いずれも第１板部５１の第１方向Ｘの端部に配置されている。
第２板部５２は、第１板部５１の第１方向Ｘの端部から第２方向Ｙに延びている。一対の第２板部５２は、第１板部５１から第２方向Ｙの内側に延びている。一対の第２板部５２は、第２方向Ｙの内側に向かうに従って第１方向Ｘに離間している。パネル５０を上方から見た上面視において、第２板部５２は、第２方向Ｙに傾斜して延びている。
【００２８】
第３板部５３は、一対の第２板部５２の間に第１方向Ｘに挟まれている。第３板部５３は、第１板部５１から第２方向Ｙの内側に向けて延びている。第３板部５３は、第２方向Ｙに平行に延び、第３板部５３の表裏面は、第１方向Ｘを向いている。第３板部５３は、その正面視において、第３方向Ｚに長い矩形状に形成されている。
【００２９】
第４板部５４は、第２板部５２および第３板部５３の上端部同士を連結し、第５板部５５は、第２板部５２および第３板部５３の下端部同士を連結する。第４板部５４および第５板部５５の各表裏面は、第３方向Ｚを向いている。第４板部５４および第５板部５５は、前記上面視において三角形状に形成されている。
【００３０】
上記パネル５０において、第２板部５２から第５板部５５は、間隔をあけて配置された一対の第１部分６１を形成している。第１板部５１は、一対の第１部分６１を連結する弾性変形可能な第２部分６２を形成している。
一対の第１部分６１は、第１方向Ｘに間隔をあけて配置されている。一対の第１部分６１は、第２部分６２から第２方向Ｙの内側に突出している。
【００３１】
図４に示すように、各第１部分６１は、オプション受け３６の第１方向Ｘの端部に配置されている。各第１部分６１の第３板部５３が、オプション受け３６の第１方向Ｘの端面に当接し、オプション受け３６を第１方向の挟持している。一対の第１部分６１は、オプション受け３６を第１方向Ｘに挟んでいる。第１部分６１には、第１部分６１を第１方向Ｘに貫通する貫通孔が形成されておらず、第１部分６１は、オプション受け３６を第１側から完全に覆っている。オプション受け３６に装着されたパネル５０を第１方向Ｘから見た場合、オプション受け３６はパネル５０に覆われて実質的に視認できない。
【００３２】
第１部分６１は、中空に形成されている。第１部分６１は、第２方向Ｙの内側に向けて開口している。第１部分６１の内部には、第２板部５２と第３板部５３とを連結するリブ６３が設けられている。リブ６３は、第１方向Ｘに延びている。
なお以下では、パネル５０を第２方向Ｙの内側から見た状態において、一対の第１部分６１のうち、左側に位置する第１部分６１を一の第１部分６１ａといい、右側に位置する第１部分６１を他の第１部分６１ｂという。
【００３３】
図７に示すように、パネル５０は、一対の第１部分６１のうちの一方に設けられ、他方に向けて突出する第１凸部６４と、第２部分６２から突出する第２凸部６５と、を備えている。
第１凸部６４は、一対の第１部分６１の両方に設けられている。第１凸部６４は、各第１部分６１における第３板部５３から第１方向Ｘに突出している。第１凸部６４は、オプション受け３６の第１方向Ｘの端部内に嵌合される。
【００３４】
第１凸部６４は、枠部６６と、格子部６７と、を備えている。
枠部６６は、第１凸部６４を第１方向Ｘから見た正面視において、第３方向Ｚに長い矩形状に形成されている。
格子部６７は、枠部６６内に配置されている。格子部６７は、枠部６６内を複数の矩形状に区画している。
【００３５】
第１凸部６４には、突条６８が設けられている。突条６８は、第１凸部６４の外面（枠部６６の外面）に設けられ、第１方向Ｘに延びている。突条６８は、第１凸部６４の外面に複数設けられている。突条６８は、第１凸部６４の外面に、第１凸部６４の周方向に間隔をあけて複数配置されている。
【００３６】
図８に示すように、第１凸部６４は、一対の第１部分６１の両方に、突出量を異ならせて設けられている。図示の例では、一の第１部分６１ａにおける第１凸部６４（以下、一の第１凸部６４ａという）の突出量Ｌ１が、他の第１部分６１ｂにおける第１凸部６４（以下、他の第１凸部６４ｂという）の突出量Ｌ２よりも大きい。
【００３７】
図７に示すように、一の第１凸部６４ａの突出量は、その全域にわたって同等となっている。他の第１凸部６４ｂの突出量は、第２方向Ｙの外側に向かうに従い小さくなっている。図示の例では、他の第１凸部６４ｂのうちの最大の突出量が、一の第１凸部６４ａの突出量よりも小さい。
第１凸部６４の突出量は、オプション受け３６に対する第１凸部６４の嵌合代となる。一の第１凸部６４ａでは、他の第１凸部６４ｂよりも嵌合代が大きく、一の第１凸部６４ａは、他の第１凸部６４ｂよりもオプション受け３６に強固に嵌合される。
【００３８】
他の第１部分６１ｂには、第６板部５６が設けられている。第６板部５６は、他の第１部分６１ｂにおいて、第２方向Ｙに沿って第２部分６２から離間して設けられている。第６板部５６は、第３板部５３から第１方向Ｘに突出している。
図８に示すように、第６板部５６は、基部５６ａと、突出部５６ｂと、を備えている。基部５６ａは、第６板部５６の上側部分を形成し、突出部５６ｂは、第６板部５６の下側部分を形成している。基部５６ａおよび突出部５６ｂは、第３方向Ｚに連続して配置されている。基部５６ａは、突出部５６ｂよりも第３方向Ｚに大きい。基部５６ａについての他の第１部分６１からの突出量は、第３方向Ｚの全長にわたって同等である。突出部５６ｂについての他の第１部分６１からの突出量は、基部５６ａの突出量よりも大きい。
【００３９】
図４に示すように、第６板部５６は、オプション受け３６の第２側面４１に配置される。第６板部５６には、第２方向Ｙに貫通する貫通孔５７が形成されている。貫通孔５７は、突出部５６ｂに形成されている。貫通孔５７には、第６板部５６を第２側面４１に固定する図示しないプッシュリベットが差し込まれる。プッシュリベットは、第２側面４１の第３開口４５にも挿通される。他の第１凸部６４ｂは一の第１凸部６４ａよりもオプション受け３６に弱く嵌合されており、プッシュリベットは、オプション受け３６に対する他の第１凸部６４ｂの嵌合力を補填する。
【００４０】
図７に示すように、第２凸部６５は、第２部分６２から、第２方向Ｙの内側に向けて突出している。図示の例では、第２凸部６５は、３種類設けられている。本実施形態のパネル５０は、３種類の第２凸部６５として、縁部７１と、格子部７２と、爪部７３と、を備えている。
【００４１】
縁部７１は、第２部分６２の上端縁および下端縁それぞれに設けられている。縁部７１は、第１方向Ｘに延びる直線状に形成され、第３方向Ｚに間隔をあけて一対配置されている。図９に示すように、一対の縁部７１は、オプション受け３６を第３方向Ｚに挟み込み、オプション受け３６に第３方向に係止する。一対の縁部７１のうちの上側の縁部７１は、オプション受け３６の上面３８における第１側面４０との連結部分を上方から覆う。一対の縁部７１のうちの下側の縁部７１は、オプション受け３６の下面３９における第１側面４０との連結部分を下方から覆う。
【００４２】
図８に示すように、格子部７２は、一対の縁部７１間に配置されている。格子部７２は、一対の縁部７１間を複数の矩形状に区画している。図９に示すように、格子部７２の突出量は、縁部７１の突出量よりも小さい。
爪部７３は、格子部７２から突出している。爪部７３は、第２方向Ｙに延びる板状に形成されている。爪部７３の先端部には、爪部７３から第３方向Ｚに突出する突起７４が形成されている。爪部７３は、第２開口４４に挿通される。このとき突起７４は、第１側面４０に対して第２方向Ｙの内側から係止する。これにより、パネル５０がオプション受け３６から意図せず離脱することが抑制される。
【００４３】
＜パネル５０の取り付け方法および取り外し方法＞
次に、オプション受け３６へのパネル５０の取り付け方法および取り外し方法について説明する。なお、以下に示す取り付け方法および取り外し方法は一例であり、取り付け方法はこれに限られない。
【００４４】
図１０および図１１に示すように、まず、作業者は一の第１部分６１ａをオプション受け３６に固定させる。このとき、作業者は一の第１凸部６４ａをオプション受け３６内に嵌合させる。
【００４５】
その後、作業者は、一の第１部分６１ａを起点として第２部分６２を弾性変形させながら、他の第１部分６１ｂをオプション受け３６に装着させる。
このとき作業者は、一の第１部分６１ａをオプション受け３６の端面に固定させた状態で、他の第１部分６１ｂが第２方向Ｙの外側に向かうように第２部分６２を弾性変形させる。例えば、作業者が、他の第１部分６１ｂを右手で把持している場合、右手を起点として右ひじを第２方向Ｙの外側に向けて移動させるように腕をひねることで、パネル５０に外力を加えて第２部分６２を弾性変形させる。これにより、一の第１凸部６４ａと他の第１凸部６４ｂとの間の距離の第１方向Ｘの成分が一時的に長くなる。そのため、一の第１凸部６４ａがオプション受け３６内に嵌合された状態であっても、他の第１凸部６４ｂの一部がオプション受け３６の第１側面４０を第２方向Ｙに乗り越え易くなる。
作業者が他の第１凸部６４ｂの一部にオプション受け３６の第１側面４０を乗り越えさせた後、作業者が第６板部５６（突出部５６ｂ）を持ち上げてオプション受け３６の第２側面４１に乗り上げるようにしながらパネル５０から外力を除去する（例えば、作業者がパネル５０を離す）。すると、パネル５０の弾性復元力に基づいてパネル５０が復元変形し、他の第１凸部６４ｂの全体が第１側面４０を乗り越えてオプション受け３６内に嵌合される。また、第２凸部６５の爪部７３が第２開口４４に挿入され、突起７４が第１側面４０に係止する。
その後、第６板部５６の貫通孔５７および第３開口４５にプッシュリベットを挿入し、第６板部５６を第２側面４１に固定する。
以上により、オプション受け３６にパネル５０が取り付けられる。
【００４６】
パネル５０の取り外しに際しては、例えば、他の第１凸部６４ｂがオプション受け３６から抜け出るように、作業者が他の第１部分６１ｂを把持してオプション受け３６から引き離して第２部分６２を弾性変形させる。このとき作業者は、他の第１部分６１ｂをオプション受け３６から引き離しながら第２方向Ｙの外側に向けて移動させ、爪部７３（第２凸部６５）を第２開口４４から引き抜きながら他の第１凸部６４ｂに第１側面４０を乗り越えさせる。作業者は、他の第１凸部６４ｂをオプション受け３６から完全に抜き出した後、一の第１凸部６４ａをオプション受け３６から抜き出す。
以上により、オプション受け３６からパネル５０が取り外される。この取り外し作業は、例えば、パネル５０を交換するとき等に実施される。パネル５０の交換は、例えば、パネル５０が劣化したり、パネル５０のデザインを変更したりするとき等に実施される。
なおパネル５０は、一度オプション受け３６に取り付けられた後、実質的に取り外しできなくてもよい。
【００４７】
＜作用効果＞
以上説明したように、本実施形態に係る身体支持装置１０によれば、パネル５０が弾性変形できる。したがって、パネル５０をオプション受け３６に弾性変形させながら取り付け作業をし、作業が完了したときにパネル５０を復元変形させることで、例えば弾性復元力を利用する等し、パネル５０をオプション受け３６に取り付けることができる。これにより、例えば、オプション受け３６を身体支持装置１０から取り外すこと等なく、オプション受け３６にパネル５０を取り付けることができる。また例えば、工場での施工性を向上させることができる。さらに例えば、身体支持装置１０を使用している現場においてパネル５０の取り付けや交換を容易に実現することもできる。
【００４８】
第２部分６２が弾性変形できる。したがって、取り付け作業に際し、例えば、一対の第１部分６１のうちの片方をオプション受け３６に固定させ、その第１部分６１を起点として第２部分６２を弾性変形させること等が可能になり、作業性を向上させることができる。
【００４９】
第１部分６１に第１凸部６４が設けられている。したがって、例えば本実施形態のように、オプション受け３６が筒状の場合、第１部分６１をオプション受け３６の端面に配置した状態で、第１凸部６４をオプション受け３６内に挿入することができる。これにより、パネル５０をオプション受け３６に強固に取り付けることができる。
【００５０】
第１凸部６４が、一対の第１部分６１の両方に、突出量を異ならせて設けられている。したがって、取り付け作業に際し、例えば、一の第１部分６１ａをオプション受け３６に固定させ、その第１部分６１を起点として第２部分６２を弾性変形させながら、他の第１部分６１ｂをオプション受け３６に装着させることができる。他の第１凸部６４ｂの突出量は、一の第１凸部６４ａの突出量よりも小さいことから、前述の取り付け作業において他の第１部分６１ｂをオプション受け３６に装着させるときに、例えば、他の第１部分６１ｂにオプション受け３６の端部を乗り越え易くすること等ができる。
【００５１】
第２凸部６５が第２部分６２から突出している。したがって、第２凸部６５をオプション受け３６に係止させることで、パネル５０をオプション受け３６に強固に取り付けることができる。
【００５２】
なお、本発明の技術的範囲は前記実施形態に限定されるものではなく、本発明の趣旨を逸脱しない範囲において種々の変更を加えることが可能である。
【００５３】
例えば、図１２および図１３に示す変形例に係るパネル５０Ａのような構成を採用してもよい。
このパネル５０Ａでは、図１２に示すように、第６板部５６における基部５６ａの突出量が、上方に向かうに従って徐々に小さくなっている。
また、図１３に示すように、一の第１凸部６４ａにおける第２方向Ｙの内側の端部では、その突出量が、この端部以外の部分よりも大きくなっている。言い換えると、前記端部には、第３凸部７５が設けられている。第３凸部７５は、第３方向Ｚから見た上面視において三角形状に形成されている。第３凸部７５の突出量は、第２方向Ｙの内側に向かうに従って大きくなっている。
【００５４】
前記実施形態では、オプション受け３６が、第１方向Ｘに間隔をあけて一対配置されているが、本発明はこれに限られない。例えば、オプション受け３６が、第１方向Ｘに沿ってボトム１１のほぼ全長にわたって１つ設けられていてもよい。このオプション受け３６にパネル５０、５０Ａが取り付けられてもよい。
【００５５】
前記実施形態では、オプション受け３６が、架台１２（メインフレーム３２）に実質的に離脱できない状態で固定されているが、本発明はこれに限られない。例えば、オプション受け３６が、架台１２に取り付けおよび取り外しできる構成であってもよい。このオプション受け３６にパネル５０、５０Ａが取り付けられてもよい。
【００５６】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５７】
１０   身体支持装置
３６   オプション受け
５０、５０Ａ   パネル
６１   第１部分
６２   第２部分
６４   第１凸部
６５   第２凸部
Ｌ１   突出量
Ｌ２   突出量
【図１】
2019176959.tif 000003
【図２】
2019176959.tif 000004
【図３】
2019176959.tif 000005
【図４】
2019176959.tif 000006
【図５】
2019176959.tif 000007
【図６】
2019176959.tif 000008
【図７】
2019176959.tif 000009
【図８】
2019176959.tif 000010
【図９】
2019176959.tif 000011
【図１０】
2019176959.tif 000012
【図１１】
2019176959.tif 000013
【図１２】
2019176959.tif 000014
【図１３】
2019176959.tif 000015